(57)【特許請求の範囲】
【請求項１】
使用者の生体情報を計測する生体情報計測装置において、
本体ケースと、
前記本体ケースに収容され、液晶パネルを有する表示部と、
前記本体ケースに収容され、前記液晶パネルの表示面とは反対側かつ前記液晶パネルと互いに重なる位置に配置され、外部機器と通信するためのアンテナと
を有する生体情報計測装置。
【請求項２】
前記アンテナは、前記液晶パネルの表示面側から前記外部機器と通信する
請求項１に記載の生体情報計測装置。
【請求項３】
前記本体ケースに収容され、前記液晶パネルの表示面とは反対側に位置し、前記液晶パネルに供給する電力を制御する制御部が取り付けられた主基板を有し、
前記アンテナは、前記主基板とは個別に形成されたアンテナ基板を有し、
前記アンテナ基板は、前記主基板および前記液晶パネルの間に位置する
請求項１または２に記載の生体情報計測装置。
【請求項４】
空気袋を有し、前記空気袋の膨張により使用者の身体の一部を圧迫する圧迫部と、
前記空気袋に空気を供給する電動ポンプと、
前記空気袋に対する空気の給排を制御する電磁弁と
を有し、
前記アンテナは、電磁波により前記外部機器と通信するものであり、
前記電動ポンプおよび前記電磁弁の少なくとも一方は、前記液晶パネルと重なる位置に配置され、
前記電動ポンプおよび前記電磁弁は、前記アンテナと重ならない位置に配置される
請求項１〜３のいずれか一項に記載の生体情報計測装置。
【請求項５】
前記本体ケースは、前記圧迫部が取り付けられる底壁、および前記底壁の周縁から立ち上がる側壁を有し、前記底壁および前記側壁により囲まれた内部空間において前記電動ポンプおよび前記電磁弁を収容する第１収容部分および前記アンテナを収容する第２収容部分が形成され、
前記底壁において前記第１収容部分を構成する部分は、前記液晶パネルから離間する方向に突出する凸形状を有する
請求項４に記載の生体情報計測装置。
【請求項６】
前記底壁において前記第２収容部分を構成する部分は、前記液晶パネルに接近する方向に凹む凹形状を有する
請求項５に記載の生体情報計測装置。
【請求項７】
前記表示部は、前記外部機器が前記アンテナと通信するための当該生体情報計測装置に対する前記外部機器の位置を示す位置確認部をセグメントとして表示する
請求項１〜６のいずれか一項に記載の生体情報計測装置。
【発明の詳細な説明】
【技術分野】
【０００１】
本発明は、本体ケースおよび本体ケースに収容される液晶パネルを有する生体情報計測装置に関する。
【背景技術】
【０００２】
特許文献１の生体情報計測装置は、使用者の手首に装着され、生体情報である血圧および脈拍を計測する血圧計である。上記生体情報計測装置は、液晶パネルを有する表示部により計測した生体情報を表示する。
【先行技術文献】
【特許文献】
【０００３】
【特許文献１】特開２０１１−１３９８２７号公報
【発明の概要】
【発明が解決しようとする課題】
【０００４】
近年、生体情報計測装置においては、生体情報の計測結果を携帯端末等の外部機器に通信することにより、使用者が外部機器により生体情報の計測結果を確認するものが提案されている。しかし、生体情報計測装置に通信機能を追加することにともない部品点数が増えるため、生体情報計測装置が大型化してしまう。
【０００５】
本発明は、上記課題を解決するため、多機能化を図ることおよび大型化を抑制することを両立することが可能な生体情報計測装置を提供することを目的とする。
【課題を解決するための手段】
【０００６】
・本発明の生体情報計測装置は、使用者の生体情報を計測する生体情報計測装置において、本体ケースと、前記本体ケースに収容され、液晶パネルを有する表示部と、前記本体ケースに収容され、前記液晶パネルの表示面とは反対側かつ前記液晶パネルと互いに重なる位置に配置され、外部機器と通信するためのアンテナとを有することを特徴とする。
【０００７】
・上記生体情報計測装置において、前記アンテナは、前記液晶パネルの表示面側から前記外部機器と通信することが好ましい。
・上記生体情報計測装置において、前記本体ケースに収容され、前記液晶パネルの表示面とは反対側に位置し、前記液晶パネルに供給する電力を制御する制御部が取り付けられた主基板を有し、前記アンテナは、前記主基板とは個別に形成されたアンテナ基板を有し、前記アンテナ基板は前記主基板および前記液晶パネルの間に位置することが好ましい。
【０００８】
・上記生体情報計測装置において、空気袋を有し、前記空気袋の膨張により使用者の身体の一部を圧迫する圧迫部と、前記空気袋に空気を供給する電動ポンプと、前記空気袋に対する空気の給排を制御する電磁弁とを有し、前記アンテナは、電磁波により前記外部機器と通信するものであり、前記電動ポンプおよび前記電磁弁の少なくとも一方は、前記液晶パネルと重なる位置に配置され、前記電動ポンプおよび前記電磁弁は、前記アンテナと重ならない位置に配置されることが好ましい。
【０００９】
・上記生体情報計測装置において、前記本体ケースは、前記圧迫部が取り付けられる底壁、および前記底壁の周縁から立ち上がる側壁を有し、前記底壁および前記側壁により囲まれた内部空間において前記電動ポンプおよび前記電磁弁を収容する第１収容部分および前記アンテナを収容する第２収容部分が形成され、前記底壁において前記第１収容部分を構成する部分は、前記液晶パネルから離間する方向に突出する凸形状を有することが好ましい。
【００１０】
・上記生体情報計測装置において、前記底壁において前記第２収容部分を構成する部分は、前記液晶パネルに接近する方向に凹む凹形状を有することが好ましい。
・上記生体情報計測装置において、前記表示部は、前記外部機器が前記アンテナと通信するための当該生体情報計測装置に対する前記外部機器の位置を示す位置確認部をセグメントとして表示することが好ましい。
【発明の効果】
【００１１】
本発明は、多機能化を図ることおよび大型化を抑制することを両立することが可能な生体情報計測装置を提供する。
【図面の簡単な説明】
【００１２】
【図１】本発明の実施形態の生体情報計測装置について、（ａ）は斜視構造を示す斜視図、（ｂ）は正面構造を示す正面図。
【図２】実施形態の生体情報計測装置について、装置本体の分解斜視構造を示す斜視図。
【図３】実施形態の生体情報計測装置について、本体ハウジングの斜視構造を示す斜視図。
【図４】実施形態の生体情報計測装置について、装置本体の内部構造を示す平面図。
【図５】実施形態の生体情報計測装置について、（ａ）は携帯電話が装置本体の上方向に位置する前の状態の装置本体の一部分の平面構造を示す平面図、（ｂ）は携帯電話が装置本体の上方向に位置した状態の装置本体の一部分の平面構造を示す平面図。
【図６】実施形態の生体情報計測装置について、本体ハウジング内の部品配置を示す模式図。
【図７】実施形態の生体情報計測装置について、図１のＺ１−Ｚ１平面の装置本体の断面構造を示す断面図。
【図８】本発明のその他の実施形態の生体情報計測装置について、本体ハウジング内の部品配置を示す模式図。
【図９】本発明のその他の実施形態の生体情報計測装置について、装置本体の一部分の平面構造を示す平面図。
【発明を実施するための形態】
【００１３】
図１を参照して、生体情報計測装置１としての血圧計の構成について説明する。
生体情報計測装置１は、装置本体１０、カフ１００、および電池ＤＣ（図２参照）を有する。なお、カフ１００は「圧迫部」に相当する。
【００１４】
装置本体１０は、平面視において長方形状に形成される。装置本体１０は、使用者の生体情報としての血圧および脈拍の計測、計測結果の表示、カフ１００への空気の供給等を行う。電池ＤＣは、装置本体１０に電力を供給する。
【００１５】
カフ１００は、使用者の手首に巻き付けられる。カフ１００は、装置本体１０に固定される。カフ１００は、布状のカフ本体１０１および空気袋１０２を有する。空気袋１０２は、カフ本体１０１の内部に位置する。カフ１００は、装置本体１０から供給された空気により空気袋１０２を膨張させ、使用者の手首を圧迫する。
【００１６】
生体情報計測装置１の方向を次のように定義する。
（Ａ）装置本体１０の長手方向に沿う方向を「幅方向ＺＡ」とする。幅方向ＺＡにおいて、使用者が生体情報計測装置１を装着した状態で使用者から見て右側の方向を「右方向ＺＡ１」とし、使用者から見て左側の方向を「左方向ＺＡ２」とする。
（Ｂ）装置本体１０の短手方向に沿う方向を「奥行方向ＺＢ」とする。奥行方向ＺＢにおいて、使用者が生体情報計測装置１を装着した状態で使用者から見て手前側の方向を「前方向ＺＢ１」とし、使用者から見て奥側の方向を「後方向ＺＢ２」とする。
（Ｃ）幅方向ＺＡおよび奥行方向ＺＢに直交する方向を「高さ方向ＺＣ」とする。高さ方向ＺＣにおいて、図１（ｂ）に示されるように、カフ１００から装置本体１０に向かう方向を「上方向ＺＣ１」とし、装置本体１０からカフ１００に向かう方向を「下方向ＺＣ２」とする。
【００１７】
図２を参照して、装置本体１０の詳細な構成について説明する。
装置本体１０は、本体ケース２０、表示部５０、制御回路６０、アンテナ７０、操作部８０、および空気供給機構９０を有する。
【００１８】
本体ケース２０は、本体ハウジング３０、中間ハウジング４０、液晶カバー２１、電池カバー２２、およびボルト２３を有する。本体ケース２０は、表示部５０、制御回路６０、アンテナ７０、操作部８０、および空気供給機構９０を収容する。
【００１９】
本体ハウジング３０は、内部空間３０Ａ、底壁３４、側壁３５、ポンプ支持構造３６、弁支持構造３７、配管支持構造３８、および基板支持構造３９を有する。本体ハウジング３０は、樹脂材料により底壁３４、側壁３５、ポンプ支持構造３６、弁支持構造３７、配管支持構造３８、および基板支持構造３９を一体的に成形する。
【００２０】
底壁３４は、使用者の手首に沿うような湾曲形状を有する。側壁３５は、底壁３４の奥行方向ＺＢの周縁から立ち上がる。内部空間３０Ａは、底壁３４および側壁３５により囲まれた空間として形成される。内部空間３０Ａは、第１収容部分３１、第２収容部分３２、および第３収容部分３３を有する。第１収容部分３１、第２収容部分３２、および第３収容部分３３は、本体ハウジング３０の幅方向ＺＡにおいて区分された空間として形成される。本体ハウジング３０においては、右方向ＺＡ１から左方向ＺＡ２に向けて第１収容部分３１、第２収容部分３２、および第３収容部分３３の順に形成される。
【００２１】
中間ハウジング４０は、樹脂材料により枠状に形成される。中間ハウジング４０は、本体ハウジング３０よりも上方向ＺＣ１に位置する。中間ハウジング４０は、その四隅においてボルト２３により本体ハウジング３０に固定される。中間ハウジング４０は、第１収容部分３１および第２収容部分３２にわたり形成される。中間ハウジング４０は、下方支持部分４１、中間支持部分４２、上方支持部分４３、およびボタン挿入部分４４を有する。中間ハウジング４０は、下方支持部分４１において表示部５０のバックライト５２を支持する。中間ハウジング４０は、中間支持部分４２において表示部５０の液晶パネル５１を支持する。中間ハウジング４０は、上方支持部分４３において液晶カバー２１を支持する。
【００２２】
液晶カバー２１は、透明な樹脂材料により平板状に形成される。液晶カバー２１は、両面テープ（図示略）により中間ハウジング４０の上方支持部分４３に固定される。液晶カバー２１は、表示部５０を上方向ＺＣ１から覆う。液晶カバー２１は、前方向ＺＢ１の部分にボタン挿入部分２１Ａが形成され、左端部に位置確認部２１Ｂが形成される。位置確認部２１Ｂは、アンテナ７０の後端部付近に位置する。位置確認部２１Ｂは、生体情報計測装置１が外部機器としての携帯電話２と通信するとき、生体情報計測装置１に対する携帯電話２の位置を示すものである。
【００２３】
電池カバー２２は、樹脂材料により形成される。電池カバー２２は、本体ハウジング３０の第３収容部分３３を上方向ＺＣ１から覆う。電池カバー２２は、本体ハウジング３０および中間ハウジング４０に取り付けられる。
【００２４】
表示部５０は、液晶パネル５１およびバックライト５２を有する。表示部５０は、液晶パネル５１がバックライト５２よりも上方向ＺＣ１に位置する構成を有する。
液晶パネル５１は、液晶を挟む透明基板５１Ａと、液晶に電圧を印加するためのセグメントとしての透明電極（図示略）とを有する。透明電極は、透明基板５１Ａに取り付けられる。液晶パネル５１は、その上面が表示面となる。
【００２５】
バックライト５２は、平板形状を有する。バックライト５２は、導光板５２Ａ、基板部分５２Ｂ、および２個の発光ダイオード５２Ｃを有する。基板部分５２Ｂは、バックライト５２の右端部に位置する。発光ダイオード５２Ｃは、基板部分５２Ｂに取り付けられる。導光板５２Ａは、発光ダイオード５２Ｃの光を拡散する。
【００２６】
制御回路６０は、本体ハウジング３０の第２収容部分３２に収容される。制御回路６０は、主基板６１、制御部６２、フレキシブル回路基板６３、電源リード線６４、モーターリード線６５、電磁弁リード線６６、および表示リード線６７を有する。また、制御回路６０は、通信用マイクロコンピューター（図示略）を有する。通信用マイクロコンピューターは、アンテナ７０のアンテナパターン７２に供給する電力の周波数を制御する。
【００２７】
主基板６１は、平板状に形成される。主基板６１は、液晶パネル５１および液晶カバー２１の上面と平行する。主基板６１は、２個の切欠部分６１Ａを有する。主基板６１は、後方向ＺＢ２の部分の上面において制御部６２が取り付けられる構成を有する。主基板６１は、左前端部の上面において電源リード線６４、モーターリード線６５、および電磁弁リード線６６が取り付けられる構成を有する。主基板６１は、左後端部の上面において表示リード線６７が取り付けられる構成を有する。
【００２８】
制御部６２は、マイクロコンピューターにより構成される。制御部６２は、液晶パネル５１の表示、電動ポンプ９１および電磁弁９２の動作、および携帯電話２との通信等を制御する。
【００２９】
フレキシブル回路基板６３は、主基板６１の後端部の上面に取り付けられる。フレキシブル回路基板６３は、主基板６１および液晶パネル５１を電気的に接続する。
電源リード線６４は、電池ＤＣおよび主基板６１を電気的に接続する。モーターリード線６５は、電動ポンプ９１の電動モーター９１Ａおよび主基板６１を電気的に接続する。電磁弁リード線６６は、電磁弁９２および主基板６１を電気的に接続する。表示リード線６７は、バックライト５２および主基板６１を電気的に接続する。
【００３０】
アンテナ７０は、主基板６１において液晶パネル５１側の表面に取り付けられる。アンテナ７０は、アンテナ基板７１および２個のジャンパー線７３を有する。アンテナ基板７１は、平板状に形成される。アンテナ基板７１は、ジャンパー線７３を介して主基板６１に取り付けられることにより主基板６１と電気的に接続される。アンテナ基板７１は、液晶パネル５１および液晶カバー２１の上面と平行する。アンテナ基板７１は、アンテナ基板７１において液晶パネル５１側の表面に形成されたアンテナパターン７２を有する。アンテナパターン７２は、渦巻状の銅箔により形成される。アンテナパターン７２は、銅箔に電力を供給することによりその周囲に磁界を生成する。ジャンパー線７３は、アンテナパターン７２の端部に接続される。
【００３１】
操作部８０は、開始終了ボタン８１、記憶呼出ボタン８２、設定ボタン８３、通信ボタン８４、基板支持台８５、スイッチ基板８６、４個のスイッチ８７、および基板リード線８８を有する。開始終了ボタン８１、記憶呼出ボタン８２、設定ボタン８３、および通信ボタン８４は、中間ハウジング４０のボタン挿入部分４４および液晶カバー２１のボタン挿入部分２１Ａに挿入される。基板支持台８５およびスイッチ基板８６は、中間ハウジング４０において、表示部５０と奥行方向ＺＢに重なる部分に位置する。基板支持台８５およびスイッチ基板８６は、主基板６１およびアンテナ７０よりも上方向ＺＣ１に位置し、高さ方向ＺＣにおいて主基板６１およびアンテナ７０と重なる位置に配置される。
【００３２】
開始終了ボタン８１は、使用者の血圧を計測するためのボタンである。記憶呼出ボタン８２は、過去の計測結果等を液晶パネル５１に表示するためのボタンである。設定ボタン８３は、カレンダーおよび時計の設定を操作するためのボタンである。通信ボタン８４は、携帯電話２と通信するためのボタンである。
【００３３】
基板支持台８５は、本体ハウジング３０の第１収容部分３１および第２収容部分３２の前方向ＺＢ１の端部に位置する。基板支持台８５は、本体ハウジング３０および中間ハウジング４０を互いに固定するボルト２３により本体ハウジング３０に固定される。基板支持台８５の左方向ＺＡ２の部分は、高さ方向ＺＣにおいて主基板６１およびアンテナ基板７１と重なる。基板支持台８５は、２個の基板支持部分８５Ａ、２個の位置決め部分８５Ｂ、およびリード線挿入部分８５Ｃを有する。
【００３４】
基板支持部分８５Ａは、フック状に形成される。基板支持部分８５Ａは、スイッチ基板８６を挟み込むことにより支持する。位置決め部分８５Ｂは、スイッチ基板８６の側面と接触することにより基板支持台８５に対するスイッチ基板８６の移動を規制する。リード線挿入部分８５Ｃは、基板支持台８５の左方向ＺＡ２の部分において後方向ＺＢ２に切り欠かれた形状を有する。
【００３５】
スイッチ基板８６は、平板形状を有する。スイッチ基板８６は、上面において４個のスイッチ８７および基板リード線８８が取り付けられる構成を有する。スイッチ８７は、各ボタン８１〜８４に対応する箇所に位置する。基板リード線８８は、スイッチ基板８６の上面からリード線挿入部分８５Ｃを介して主基板６１に接続される。
【００３６】
空気供給機構９０は、電動ポンプ９１、電磁弁９２、配管９３、およびボルト９４を有する。
電動ポンプ９１は、ダイヤフラム式のポンプを構成する。電動ポンプ９１は、電動モーター９１Ａおよびポンプ部分９１Ｂを有する。電動ポンプ９１は、奥行方向ＺＢにおいて電動モーター９１Ａおよびポンプ部分９１Ｂが一列に配置される構成を有する。電動モーター９１Ａは、磁性体かつ金属製のケース９１Ｃを有する。電動モーター９１Ａは、ケース９１Ｃ内に電機子および磁石（ともに図示略）が収容された構成を有する。
【００３７】
電磁弁９２は、電動ポンプ９１よりも前方向ＺＢ１に位置する。電磁弁９２は、磁性体かつ金属製のケース９２Ａを有する。電磁弁９２は、ケース９２Ａ内にコイル（図示略）が収容された構成を有する。電磁弁９２は、配管９３の内部空間と本体ケース２０内の空間とが連通する状態（以下、「開弁状態」）、および配管９３の内部空間と本体ケース２０内の空間とが遮断される状態（以下、「閉弁状態」）を切り替える。
【００３８】
配管９３は、奥行方向ＺＢにおいて電動ポンプ９１および電磁弁９２の間に位置する。配管９３は、ポンプ部分９１Ｂ、電磁弁９２、およびカフ１００の空気袋１０２（図１参照）に接続される。配管９３は、固定部分９３Ａを有する。配管９３は、固定部分９３Ａにおいてボルト９４により本体ハウジング３０に固定される。
【００３９】
図３を参照して、本体ハウジング３０の詳細な構成について説明する。
第１収容部分３１は、本体ハウジング３０の右方向ＺＡ１の部分の空間として形成される。底壁３４において第１収容部分３１に対応する部分は、下方向ＺＣ２に向かい突出する凸形状を有する。第１収容部分３１に対応する側壁３５は、その高さ方向ＺＣの寸法が第２収容部分３２に対応する側壁３５の高さ方向ＺＣの寸法、および第３収容部分３３に対応する側壁３５の高さ方向ＺＣの寸法よりも大きい部分を有する。
【００４０】
第２収容部分３２は、幅方向ＺＡにおいて第１収容部分３１および第２収容部分３２の間の空間として形成される。第２収容部分３２は、第１収容部分３１および第３収容部分３３に連通する。底壁３４において第２収容部分３２に対応する部分は、上方向ＺＣ１に向けて凹む凹形状を有する。底壁３４において第２収容部分３２に対応する部分は、生体情報計測装置１が手首に装着されるとき、手首の一部が収容される凹みとして利用される。第２収容部分３２に対応する側壁３５は、その高さ方向ＺＣの寸法が第３収容部分３３に対応する側壁３５の高さ方向ＺＣの寸法よりも小さい部分を有する。
【００４１】
第３収容部分３３は、本体ハウジング３０の左方向ＺＡ２の部分に位置する。底壁３４において第３収容部分３３に対応する部分は、左方向ＺＡ２に向かうにつれて下方向ＺＣ２に傾斜する。
【００４２】
底壁３４は、６個の貫通孔３４Ａを有する。電磁弁９２（図２参照）が開弁状態のとき、電磁弁９２を介して本体ケース２０（図２参照）内に排出された空気は、貫通孔３４Ａを介して装置本体１０（図１参照）の外部に排出される。
【００４３】
ポンプ支持構造３６は、一対の第１支持部分３６Ａ、１個の第２支持部分３６Ｂ、および２個の位置決め部分３６Ｃを有する。
第１支持部分３６Ａは、底壁３４から上方向ＺＣ１に延びる。第１支持部分３６Ａは、電動ポンプ９１の電動モーター９１Ａのケース９１Ｃの下面および右側面を支持する（図４参照）。第２支持部分３６Ｂは、第１支持部分３６Ａの左隣に位置する。
【００４４】
第２支持部分３６Ｂは、底壁３４から上方向ＺＣ１に延びる。第２支持部分３６Ｂは、その上端部において右方向ＺＡ１に湾曲する。第２支持部分３６Ｂは、電動モーター９１Ａのケース９１Ｃの左側面を支持し、かつケース９１Ｃの上面において左方向ＺＡ２の一部分を覆う（図４参照）。
【００４５】
位置決め部分３６Ｃは、平面視においてＬ字状に形成される。位置決め部分３６Ｃは、底壁３４から上方向ＺＣ１に延びる。位置決め部分３６Ｃは、ポンプ部分９１Ｂ（図４参照）の四隅のうちの左前部分および右後部分に接触する。位置決め部分３６Ｃは、ポンプ部分９１Ｂの幅方向ＺＡおよび奥行方向ＺＢへの移動を規制する。
【００４６】
弁支持構造３７は、支持部分３７Ａおよび２個の位置決め部分３７Ｂを有する。
支持部分３７Ａは、平面視においてＵ字状に形成される。支持部分３７Ａは、底壁３４から上方向ＺＣ１に延びる。支持部分３７Ａは、後方向ＺＢ２の端部において上方向ＺＣ１に突出する突出部分３７Ｃを有する。一対の支持部分３７Ａは、電磁弁９２のケース９２Ａ（図４参照）の下面を支持する。一対の支持部分３７Ａは、電磁弁９２のケース９２Ａの後側面と接触することにより電磁弁９２の後方向ＺＢ２への移動を規制する（図４参照）。
【００４７】
位置決め部分３７Ｂは、本体ハウジング３０の前方向ＺＢ１側の側壁３５から後方向ＺＢ２に突出する。位置決め部分３７Ｂは、幅方向ＺＡにおいて電磁弁９２を挟むことにより電磁弁９２の幅方向ＺＡの移動を規制する（図４参照）。
【００４８】
配管支持構造３８は、１個の支持部分３８Ａ、１個の固定部分３８Ｂ、１個の保持部分３８Ｃ、および１個の貫通孔３８Ｄを有する。
支持部分３８Ａは、底壁３４において、電磁弁９２の左端部に隣り合う部分に位置する。支持部分３８Ａは、底壁３４から上方向ＺＣ１に延びる。支持部分３８Ａは、配管９３（図４参照）の下面を支持する。
【００４９】
固定部分３８Ｂは、底壁３４において電動ポンプ９１および電磁弁９２の奥行方向ＺＢの間の部分に位置する。固定部分３８Ｂは、底壁３４から上方向ＺＣ１に延びる。
保持部分３８Ｃおよび貫通孔３８Ｄは、底壁３４において主基板６１（図２参照）と互いに重なる部分に位置する。保持部分３８Ｃは、貫通孔３８Ｄの周縁における左方向ＺＡ２の部分に位置する。保持部分３８Ｃは、フック状に形成される。保持部分３８Ｃは、配管９３の左端部の左側面および上面を覆う。貫通孔３８Ｄにおいては、配管９３におけるカフ１００の空気袋１０２（図１参照）と接続される部分が挿入される。配管９３の一部分は、弁支持構造３７の支持部分３７Ａの突出部分３７Ｃに支持される。
【００５０】
基板支持構造３９は、１個の第１保持部分３９Ａ、１個の第２保持部分３９Ｂ、６個の周縁支持部分３９Ｃ、および２個の下面支持部分３９Ｄを有する。
第１保持部分３９Ａは、ポンプ支持構造３６の第２支持部分３６Ｂと一体的に形成される。第１保持部分３９Ａは、フック形状を有する。主基板６１は、右方向ＺＡ１の側面が第２支持部分３６Ｂに接触する。第１保持部分３９Ａは、主基板６１の上面に接触する。
【００５１】
第２保持部分３９Ｂは、第２収容部分３２の左端部に位置する。第２保持部分３９Ｂは、フック形状を有する。第２保持部分３９Ｂは、底壁３４から上方向ＺＣ１に延びる。第２保持部分３９Ｂは、主基板６１の左側面および上面に接触する。
【００５２】
下面支持部分３９Ｄは、底壁３４から上方向ＺＣ１に延びる。下面支持部分３９Ｄは、主基板６１の下面に接触することにより主基板６１を支持する。
周縁支持部分３９Ｃは、第２収容部分３２の左方向ＺＡ２、前方向ＺＢ１、および後方向ＺＢ２の周縁に位置する。周縁支持部分３９Ｃは、段形状を有する。周縁支持部分３９Ｃは、主基板６１の側面および下面に接触することにより主基板６１を支持し、かつ主基板６１の幅方向ＺＡおよび奥行方向ＺＢの移動を規制する。第１保持部分３９Ａと後方向ＺＢ２に隣り合う周縁支持部分３９Ｃは、主基板６１の右端部に形成された切欠部分６１Ａに嵌め込まれる（図４参照）。第２保持部分３９Ｂと後方向ＺＢ２に隣り合う周縁支持部分３９Ｃは、主基板６１の左端部に形成された切欠部分６１Ａに嵌め込まれる（図４参照）。
【００５３】
図４を参照して、本体ハウジング３０内の各部品の配置構成について説明する。
本体ハウジング３０は、空気供給機構９０を第１収容部分３１に収容し、制御回路６０およびアンテナ７０を第２収容部分３２に収容し、電池ＤＣを第３収容部分３３に収容する。
【００５４】
電磁弁９２は、第１収容部分３１の前端部に位置する。電動ポンプ９１は、第１収容部分３１の後端部から中間部分にわたり位置する。配管９３は、第１収容部分３１において電動ポンプ９１および電磁弁９２の間に位置する。
【００５５】
主基板６１は、第２収容部分３２の略全域にわたり位置する。主基板６１の前方向ＺＢ１の部分において、電動ポンプ９１および電磁弁９２寄りの部分は、各リード線６４〜６６が接続される。アンテナ７０は、主基板６１の前方向ＺＢ１の部分において、電池ＤＣ寄りの部分に取り付けられる。
【００５６】
図１および図２を参照して、生体情報計測装置１の計測動作について説明する。
使用者は、カフ１００を手首に巻き付ける。そして、使用者は、生体情報計測装置１を使用者の心臓と同じ高さとなるように手首を移動させる。この状態において、使用者は、開始終了ボタン８１を操作する。開始終了ボタン８１が操作されることに基づいて、電動ポンプ９１が駆動し、電磁弁９２が閉弁状態に変更される。これにより、電動ポンプ９１から配管９３を介して空気袋１０２に空気が供給される。その後、空気袋１０２に所定量の空気が供給されたとき、生体情報計測装置１は、血圧および脈拍の計測を行う。
【００５７】
生体情報計測装置１の血圧および脈拍の計測が終了したとき、電動ポンプ９１の駆動が停止し、電磁弁９２が開弁状態となる。このとき、空気袋１０２内の空気は、配管９３を介して電磁弁９２に移動する。電磁弁９２に移動した空気は、電磁弁９２に形成された貫通孔を介して電磁弁９２の外部に排出される。そして、電磁弁９２から排出された空気は、本体ハウジング３０の貫通孔３４Ａ（図３参照）を介して装置本体１０の外部に排出される。
【００５８】
図５を参照して、生体情報計測装置１および携帯電話２の通信について説明する。
使用者は、通信ボタン８４を操作することにより生体情報計測装置１を携帯電話２と通信可能な状態とする。このとき、液晶パネル５１は、生体情報計測装置１および携帯電話２の通信期間にわたり電波を示すセグメント５１Ｂを例えば点滅により示す。これにより、使用者は、生体情報計測装置１が通信可能な状態であると認識することができる。
【００５９】
また、使用者は、携帯電話２を操作することにより携帯電話２を生体情報計測装置１と通信可能な状態とする。そして、使用者は、携帯電話２を液晶カバー２１の位置確認部２１Ｂに合わせる。このとき、生体情報計測装置１および携帯電話２の通信を開始する。生体情報計測装置１および携帯電話２の通信としては、認証、および生体情報計測装置１に記憶された計測結果を携帯電話２に送信することが挙げられる。
【００６０】
図６および図７を参照して、生体情報計測装置１の作用について説明する。なお、以下では、高さ方向ＺＣにおいて液晶パネル５１およびアンテナ７０が互いに重ならないと仮定した構成を「比較構成」とする。
【００６１】
比較構成においては、装置本体１０の幅方向ＺＡおよび奥行方向ＺＢの寸法が一定と仮定した場合、アンテナ７０のためのスペースを確保するため、液晶パネル５１の幅方向ＺＡおよび奥行方向ＺＢの少なくとも一方の寸法が小さくなる。このため、液晶パネル５１に表示された数値および文字が小さくなる。したがって、使用者が数値および文字を読みづらくなる。また、装置本体１０の幅方向ＺＡおよび奥行方向ＺＢの寸法が変更可能と仮定した場合、液晶パネル５１の幅方向ＺＡおよび奥行方向ＺＢの寸法を維持し、かつアンテナ７０のためのスペースを確保する。このため、装置本体１０の幅方向ＺＡおよび奥行方向ＺＢの寸法が大きくなる。
【００６２】
一方、図６に示されるように、生体情報計測装置１においては、アンテナ７０が本体ハウジング３０において図中の二点鎖線により示される液晶パネル５１と高さ方向ＺＣに重なる部分に位置する。具体的には、アンテナ７０は、液晶パネル５１の左前端部から左中間部分にわたり重なる。このため、アンテナ７０のためのスペースを確保するため、液晶パネル５１の幅方向ＺＡおよび奥行方向ＺＢの寸法を小さくする必要がなくなる。また、装置本体１０の幅方向ＺＡおよび奥行方向ＺＢの寸法を大きくする必要がなくなる。したがって、液晶パネル５１の平面方向の寸法を確保すること、および装置本体１０の大型化を抑制することの両立を図ることができる。
【００６３】
また、アンテナ７０は、本体ハウジング３０において電動ポンプ９１および電磁弁９２と高さ方向ＺＣに重ならない部分に位置する。具体的には、アンテナ７０は、本体ハウジング３０において電動ポンプ９１および電磁弁９２よりも左方向ＺＡ２の部分に位置する。より詳細には、アンテナ７０は、本体ハウジング３０において電池ＤＣと電動ポンプ９１および電磁弁９２とにより幅方向ＺＡに挟まれた領域（第２収容部分３２）に位置する。加えて、アンテナ７０は、第２収容部分３２において電動ポンプ９１および電磁弁９２よりも電池ＤＣ寄りの部分に位置する。このため、アンテナ７０のアンテナパターン７２の周囲に発生する磁束が電動ポンプ９１のケース９１Ｃおよび電磁弁９２のケース９２Ａ（ともに図４参照）に流れにくくなる。
【００６４】
また、アンテナ７０は、主基板６１の液晶パネル５１側の表面に取り付けられる。このため、アンテナ７０の上面、すなわちアンテナパターン７２の上面は、主基板６１の上面よりも上方向ＺＣ１側に位置する。このため、アンテナ７０および液晶パネル５１の上面の間の距離は、主基板６１および液晶パネル５１の上面の間の距離よりも小さい。したがって、アンテナ７０および液晶カバー２１（図７参照）の上面の間の距離は、主基板６１および液晶カバー２１の上面の間の距離よりも小さい。したがって、主基板６１上にアンテナパターン７２が形成されると仮定した構成と比較して、生体情報計測装置１および携帯電話２（図５参照）が通信可能となる、液晶カバー２１に対する上方向ＺＣ１側の携帯電話２の距離が大きくなる。
【００６５】
図７に示されるように、本体ハウジング３０は、第１収容部分３１において底壁３４が下方向ＺＣ２に突出する突形状を有し、第２収容部分３２において底壁３４が上方向ＺＣ１に向けて凹む凹形状を有する。これにより、底壁３４は、使用者の手首に沿うような形状に形成される。また、第１収容部分３１における底壁３４および液晶パネル５１の間の距離（以下、「第１距離Ｄ１」）が第２収容部分３２における底壁３４および液晶パネル５１の間の距離（以下、「第２距離Ｄ２」）よりも大きい（Ｄ１＞Ｄ２）。このため、第１収容部分３１は、第２収容部分３２に対応する側壁３５（図３参照）の高さ方向ＺＣの寸法よりも高さ方向ＺＣの寸法が大きい部品を収容可能となる。
【００６６】
そこで、生体情報計測装置１は、主基板６１およびアンテナ基板７１よりも高さ方向ＺＣの寸法が大きい電動ポンプ９１、電磁弁９２、および配管９３（ともに図４参照）を収容する。
【００６７】
一方、第２収容部分３２は、第１収容部分３１に収容された部品、すなわち電動ポンプ９１および電磁弁９２よりも高さ方向ＺＣの寸法が小さい部品を収容することが好ましい。また、第２収容部分３２は、第３収容部分３３に収容された電池ＤＣよりも高さ方向ＺＣの寸法が小さい部品を収容することが好ましい。
【００６８】
そこで、生体情報計測装置１は、電動ポンプ９１、電磁弁９２、および電池ＤＣよりも高さ方向ＺＣの寸法が小さい主基板６１およびアンテナ７０（図４参照）を第２収容部分３２に収容する。このように、本体ハウジング３０の形状を有効に利用した部品配置が可能となる。このため、底壁３４から液晶パネル５１までの距離が大きくなることが抑制されるため、装置本体１０が高さ方向ＺＣに大型化することが抑制される。
【００６９】
本実施形態の生体情報計測装置１は、以下の効果を奏する。
（１）生体情報計測装置１は、携帯電話２と通信するアンテナ７０を有する。このため、血圧および脈拍の計測結果を携帯電話２に送信する通信機能を有する。したがって、生体情報計測装置１の機能を増やすことができる。
【００７０】
加えて、アンテナ７０が液晶パネル５１よりも下方向ＺＣ２かつ液晶パネル５１と互いに重なる位置に配置される。この構成によれば、幅方向ＺＡおよび奥行方向ＺＢにおいて本体ケース２０の寸法が大きくなることが抑制される。したがって、生体情報計測装置１の大型化を抑制することができる。
【００７１】
（２）生体情報計測装置１は、主基板６１の液晶パネル５１側の表面にアンテナ基板７１が取り付けられる構成を有する。この構成によれば、主基板６１上にアンテナパターン７２が形成されると仮定した構成と比較して、アンテナパターン７２と液晶パネル５１との間の距離が小さい。このため、アンテナパターン７２と液晶カバー２１の上面との間の距離も小さい。したがって、携帯電話２との通信がしやすくなる。
【００７２】
（３）生体情報計測装置１は、アンテナ７０が電動ポンプ９１および電磁弁９２と重ならない構成を有する。この構成によれば、アンテナ７０の磁束が電動ポンプ９１のケース９１Ｃおよび電磁弁９２のケース９２Ａにより影響を受けることが抑制される。
【００７３】
（４）生体情報計測装置１は、第２収容部分３２の第２距離Ｄ２よりも大きい第１距離Ｄ１を有する第１収容部分３１に電動ポンプ９１および電磁弁９２が収容される構成を有する。この構成によれば、第２収容部分３２に電動ポンプ９１および電磁弁９２が収容されると仮定した構成と比較して、装置本体１０が高さ方向ＺＣに大型化することが抑制される。
【００７４】
（５）生体情報計測装置１は、底壁３４において第２収容部分３２に対応する部分は、液晶パネル５１側に向けて凹む凹形状を有する。この構成によれば、底壁３４において第２収容部分３２に対応する部分が生体情報計測装置１において手首に装着するための凹みとして利用することができる。
【００７５】
加えて、第１収容部分３１の第１距離Ｄ１よりも小さい第２距離Ｄ２を有する第２収容部分３２に主基板６１およびアンテナ７０が収容される構成を有する。この構成によれば、第２収容部分３２に電池ＤＣまたは電動ポンプ９１および電磁弁９２が収容されると仮定した構成と比較して、装置本体１０が高さ方向ＺＣに大型化することが抑制される。
【００７６】
（６）生体情報計測装置１は、スイッチ基板８６が主基板６１の上面に位置し、主基板６１に高さ方向ＺＣに重なる位置に配置される構成を有する。この構成によれば、スイッチ基板８６が主基板６１に高さ方向ＺＣに重ならないと仮定した構成と比較して、装置本体１０の奥行方向ＺＢの寸法が小さくなる。したがって、生体情報計測装置１の奥行方向ＺＢの大型化が抑制される。
【００７７】
（７）生体情報計測装置１は、本体ハウジング３０においてポンプ支持構造３６の第２支持部分３６Ｂと基板支持構造３９の第１保持部分３９Ａとが一体的に成形される構成を有する。この構成によれば、第２支持部分３６Ｂおよび第１保持部分３９Ａが個別に成形され、第２支持部分３６Ｂよりも左方向ＺＡ２側に第１保持部分３９Ａが位置すると仮定した構成と比較して、本体ハウジング３０の幅方向ＺＡの寸法が小さくなる。したがって、生体情報計測装置１の幅方向ＺＡの大型化が抑制される。
【００７８】
本発明は、上記実施形態とは別の実施形態を含む。以下、本発明のその他の実施形態としての上記実施形態の変形例を示す。なお、以下の各変形例は、互いに組み合わせることもできる。
【００７９】
・実施形態の表示部５０は、バックライト５２を有する。一方、変形例の表示部５０は、バックライト５２を有していない。
・実施形態の本体ハウジング３０の底壁３４は、第１収容部分３１に対応する部分が下方向ＺＣ２に突出する突形状を有する。一方、変形例の本体ハウジング３０の底壁３４は、第１収容部分３１に対応する部分が突形状を有していない。変形例の底壁３４は、例えば第１収容部分３１に対応する部分が幅方向ＺＡおよび奥行方向ＺＢに沿った平面を有する。
【００８０】
・実施形態の本体ハウジング３０の底壁３４は、第２収容部分３２に対応する部分が上方向ＺＣ１に凹む凹形状を有する。一方、変形例の本体ハウジング３０の底壁３４は、第２収容部分３２に対応する部分が凹形状を有していない。変形例の底壁３４は、例えば第２収容部分３２に対応する部分が幅方向ＺＡおよび奥行方向ＺＢに沿った平面を有する。
【００８１】
・実施形態の生体情報計測装置１は、主基板６１の上面およびアンテナ基板７１の下面が接触する構成を有する。一方、変形例の生体情報計測装置１は、主基板６１の上面およびアンテナ基板７１の下面の間に空間が形成される構成を有する。また、別の変形例の生体情報計測装置１は、主基板６１の下面にアンテナ基板７１の上面が接触する構成を有する。
【００８２】
・実施形態の生体情報計測装置１は、本体ハウジング３０の第２収容部分３２において電池ＤＣ寄りの部分にアンテナ７０が位置する構成を有する。一方、変形例の生体情報計測装置１は、本体ハウジング３０の第２収容部分３２において電動ポンプ９１および電磁弁９２寄りの部分にアンテナ７０が位置する構成を有する。なお、第２収容部分３２において電池ＤＣ寄りの部分にアンテナ７０が位置するとは、アンテナパターン７２の幅方向ＺＡの中間点が第２収容部分３２の幅方向ＺＡの右半分の部分よりも左方向ＺＡ２側に位置することをいう。
【００８３】
・実施形態の生体情報計測装置１は、主基板６１の上面の領域内にアンテナ基板７１が位置する構成を有する。一方、変形例の生体情報計測装置１は、アンテナ基板７１の一部分が主基板６１の上面の領域外に突出する構成を有する。
【００８４】
・実施形態の生体情報計測装置１は、本体ハウジング３０の第２収容部分３２に制御回路６０およびアンテナ７０が収容される構成を有する。一方、変形例の生体情報計測装置１は、本体ハウジング３０の第１収容部分３１に制御回路６０およびアンテナ７０が収容される構成を有する。空気供給機構９０は、第２収容部分３２に収容される。
【００８５】
・実施形態の生体情報計測装置１は、主基板６１およびスイッチ基板８６が個別に形成される構成を有する。一方、変形例の生体情報計測装置１は、図８に示されるように、主基板６１およびスイッチ基板８６が一体的に形成される構成、すなわち主基板６１およびスイッチ基板８６が一枚の基板として形成される構成を有する。変形例の生体情報計測装置１においては、主基板６１の前端部からスイッチ基板８６が連続する。スイッチ基板８６は、主基板６１よりも右方向ＺＡ１に突出する。スイッチ基板８６は、電磁弁９２よりも前方向ＺＢ１に位置する。この構成によれば、主基板６１およびスイッチ基板８６が一体的に形成されるため、生体情報計測装置１の部品点数が少なくなる。
【００８６】
・実施形態の生体情報計測装置１は、液晶カバー２１に位置確認部２１Ｂが形成される構成を有する。一方、変形例の生体情報計測装置１は、図９に示されるように、液晶パネル５１のセグメント表示として位置確認部２１Ｂが形成される構成を有する。この構成によれば、位置確認部２１Ｂをアンテナ７０の位置に応じた位置に配置することができる。このため、アンテナ７０に対する携帯電話２の位置精度が向上する。したがって、生体情報計測装置１および携帯電話２がより通信しやすくなる。
【００８７】
・実施形態の生体情報計測装置１は、手首にカフ１００を巻き付ける血圧計に適用される。一方、変形例の生体情報計測装置１は、上腕にカフを巻き付ける血圧計に適用される。要するに、手首にカフ１００を巻き付ける血圧計に限られず、使用者の身体の一部をカフにより圧迫する血圧計であればよい。
【００８８】
・実施形態の生体情報計測装置１は、血圧計に適用される。一方、変形例の生体情報計測装置１は、血圧計に代えて、活動量計、体組成計等の血圧および脈拍とは別の生体情報を計測する装置に適用される。
【００８９】
・実施形態の生体情報計測装置１は、電池ＤＣを有する。一方、変形例の生体情報計測装置１は、電池ＤＣに代えて、商用電源等の外部電源（図示略）から電力供給される構成を有する。変形例の生体情報計測装置１は、第２収容部分３２において、アンテナ７０が第３収容部分３３寄りの部分に配置される構成を有する。この構成によれば、アンテナ７０の磁束が電動ポンプ９１のケース９１Ｃおよび電磁弁９２のケース９２Ａにより影響を受けることが抑制される効果が高まる。
【００９０】
・実施形態の外部機器は、携帯電話２が用いられる。一方、変形例の外部機器は、携帯電話２以外の携帯情報端末、例えばタブレットコンピューターが用いられる。
【符号の説明】
【００９１】
１…生体情報計測装置、２…携帯電話（外部機器）、２０…本体ケース、２１Ｂ…位置確認部、３０Ａ…内部空間、３１…第１収容部分、３２…第２収容部分、３４…底壁、３５…側壁、５０…表示部、５１…液晶パネル、６１…主基板、６２…制御部、７０…アンテナ、７１…アンテナ基板、７２…アンテナパターン、９１…電動ポンプ、９２…電磁弁、１００…カフ（圧迫部）、１０２…空気袋。
【図１】
0005887546.tif 000002
【図２】
0005887546.tif 000003
【図３】
0005887546.tif 000004
【図４】
0005887546.tif 000005
【図５】
0005887546.tif 000006
【図６】
0005887546.tif 000007
【図７】
0005887546.tif 000008
【図８】
0005887546.tif 000009
【図９】
0005887546.tif 000010